(57)【要約】【課題】予約録画処理を行う際に追記モード等を設け、録画後のライブラリ画面表示の際に同モードの録画情報を一単位で表示することで簡潔表示する記録再生装置を提供。【解決手段】放送信号を選局し復号して映像情報を出力するチューナ部１２と、チューナ部の映像情報を記録領域に記録する記録部１８と、与えられる曜日情報と時刻情報と選局情報とこれらの情報につき反復的に予約録画を行い録画情報を一連の情報として扱う連続モード情報とを記憶し、これらの情報に基づきチューナ部と記録部を制御して予約録画を行う予約録画管理部４２と、連続モード情報により録画した録画情報の管理情報をライブラリ情報として表示する際に、複数回の録画情報の管理情報でも一単位の管理情報として画像表示するべく表示情報を生成するライブラリ生成部４３とをもつ記録再生装置。【選択図】図１
2008219945.tif 000002
【特許請求の範囲】
【請求項１】
予約情報により特定される全ての番組を録画する第１の録画モードの指示に基づき全ての番組を順に録画する予約録画管理部と、
前記第１の録画モードにより録画された各番組の録画情報に関する情報を１単位で表示するための第１の管理情報を生成して出力する情報生成部とを具備し、
前記第１の管理情報は、前記第１の録画モードにより録画された回数を示す録画回数情報を含むことを特徴とする記録再生装置。
【請求項２】
前記予約録画管理部は、予約情報により特定される一つの番組を録画する第２の録画モードの指示に基づき一つの番組を録画し、
前記情報生成部は、前記第２の録画モードにより録画された一つの番組の録画情報に関する情報を表示するための第２の管理情報を生成し、前記第１の管理情報及び前記第２の管理情報を含む表示情報を出力することを特徴とする請求項１に記載の記録再生装置。
【請求項３】
予約情報により特定される全ての番組を録画する第１の録画モードの指示に基づき全ての番組を順に録画し、
前記第１の録画モードにより録画された各番組の録画情報に関する情報を１単位で表示するための第１の管理情報を生成して出力し、
前記第１の管理情報は、前記第１の録画モードにより録画された回数を示す録画回数情報を含むことを特徴とする記録再生方法。
【請求項４】
予約情報により特定される一つの番組を録画する第２の録画モードの指示に基づき一つの番組を録画し、
前記第２の録画モードにより録画された一つの番組の録画情報に関する情報を表示するための第２の管理情報を生成し、
前記第１の管理情報及び前記第２の管理情報を含む表示情報を出力することを特徴とする請求項３に記載の記録再生方法。
【発明の詳細な説明】
【技術分野】
【０００１】
この発明は、例えば、予約録画を行うハードディスクレコーダ等の記録再生装置に関し、特に、連続ドラマ等の反復する予約録画の際の録画情報のライブラリ画面表示を行う記録再生装置及び記録再生方法に関する。
【背景技術】
【０００２】
最近、デジタル機器の普及と共にハードディスクレコーダ等の記録再生装置が一般化しつつあり、以前のＶＴＲ（Video Tape Recorder）による記録再生処理の場合よりも記録情報へのアクセスが容易に行えるようになってきている。このような記録再生装置においては、予約録画処理が可能であり、指定された日や曜日、日時、選局情報等を与えることにより自動的に留守録画が可能となる。ここで、特に、ハードディスクレコーダ等の記録再生装置において大量の予約録画が容易になってくると、ハードディスクの容量の許す限り、映像情報を録画することになり、その結果、記憶領域に大量の録画情報が一杯になるため、録画情報の管理を簡便に行いたいという要望がある。これに対して、録画情報の管理情報を整理する方法として、タイトルのソート処理等が知られている。
【０００３】
特許文献１においては、記録再生装置において、このような録画情報の管理情報を、記録情報の属性、例えば、曜日と記録開始時刻等に基づき並べ替えられるものであり、これにより、特に、連続ドラマ等の複数の録画情報が連続して録画されている様子を知ることができる。
【特許文献１】特開２００１−２６６４５７号公報。
【発明の開示】
【発明が解決しようとする課題】
【０００４】
上記した従来技術においては、録画情報単位の複数の管理情報を一覧表の中でソート処理を行い表示の順番を変えることで、ユーザが比較的見やすい画面としているものである。従って、例えば、連続ドラマＡについて８回分の録画があれば管理表の８行を使用するものであり、連続ドラマＢの６回分の録画があれば更に管理表の６行を使用するものであって、管理表の圧縮効果は一切望めないものである。このため、ハードディスクドライブの大容量化に伴い、数十〜数百のコンテンツを扱うこととなる大量録画の使用環境に対しては、簡便な表示方法とは言えないという問題がある。又、一般的なユーザの感覚では、録画情報が大量にある状況では、録画単位でライブラリを認識するよりも、コンテンツ毎にライブラリを認識する方が意に叶っているが、従来技術の記録再生装置のライブラリ機能がこのような認識方法に対応していないという問題がある。
【０００５】
本発明は、予約録画処理を行う際に追記モード（連続モード）等を設け、録画後のライブラリ画面表示の際に同モードの録画情報を一単位で表示することで、大量情報を容易に認識することができる記録再生装置を提供することを目的とする。
【課題を解決するための手段】
【０００６】
本発明の一実施形態に係る記録再生装置は、放送信号を選局し復号して映像情報を出力するチューナ部と、前記チューナ部の前記映像情報を記録領域に記録する記録部と、与えられる曜日情報と時刻情報と選局情報とこれらの情報につき反復的に予約録画を行い録画情報を一連の情報として扱う連続モード情報とを記憶し、これらの情報に基づき前記チューナ部と記録部を制御して予約録画を行う予約録画管理部と、前記連続モード情報により録画した録画情報の管理情報をライブラリ情報として表示する際に、複数回の録画情報の管理情報でも一単位の管理情報として画像表示するべく表示情報を生成するライブラリ生成部とを具備することを特徴とする記録再生装置である。
【発明の効果】
【０００７】
上記の記録再生装置においては、予約録画を行う際に、例えば、連続ドラマや毎日放送される番組のように反復して録画される番組につき、録画モードとして、追記モード（連続モード）等を設けて予約録画を行う。そして、録画後の管理情報のライブラリ画面表示の際に、追記モード（連続モード）の録画情報が例えば１５回分あったとしても、ライブラリ画面の中では一行（一単位）で表示することで、大容量化したハードディスク中の無数の録画情報の管理情報を無理なく圧縮し、非常に簡便に表示することが可能となる。
【０００８】
又、更に、ユーザの操作により、この一行（一単位）で示された管理情報を指定したりクリック等することで、例えば、１５回分の録画情報が、視聴済・未視聴の表示と共に、選択可能に表示することにより、その後のユーザの容易な操作を可能とするものである。
【発明を実施するための最良の形態】
【０００９】
以下、この発明の実施の形態について図面を参照して詳細に説明する。  
本発明の一実施形態である記録再生装置においては、ビデオタイトルの録画に「追記モード」というものを提案している。追記モード（連続モード）とは、文字の通り、録画済みタイトルに対して反復的に追記して録画を行っていく録画モードであり、例えば、連続ドラマ等の繰り返しの予約録画処理に対応するものである。
【００１０】
ビデオレコーダの利用シーンを考えた場合、ドラマのように毎週繰り返し録画を行うと、従来のビデオレコーダでは録画が行われる毎にタイトルが増え、ライブラリ画面等で表示されるタイトル数が膨大になり録画状況を確認する際に何ページも参照しなければならず、非常に使い勝手が悪くなるという状況がある。これに対して、本発明の一実施形態である記録再生装置においては、『追記モード』という録画モードを提案することで、非常に簡潔なライブラリ表示を可能とし、その後の再生処理も容易に行うことができる。又、追記モードを中止したい場合は、録画予約の際に、追記モードを通常モードに変更して選択することで、これまでと同じようなライブラリ表示に戻すことも容易となる。
【００１１】
本発明に係る記録再生装置として、図１に示すような複合型記録再生装置である記録再生装置１０を例に挙げて、以下に詳細に説明する。
【００１２】
＜本発明の一実施形態に係る記録再生装置＞
初めに、本発明に係る記録再生装置の構成を図面を用いて説明する。図１は、本発明の一実施形態に係る記録再生装置の構成の一例を示すブロック図である。
【００１３】
（構成）
この実施形態では、記録再生装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１４】
図１の記録再生装置１０は、２種類のディスクドライブ部を有する。まず、ビデオファイルを構築できる情報記録媒体である第１のメディアとしての光ディスクＤを回転駆動し、情報の読み書きを実行するディスクドライブ部１９を有する。又、第２のメディアとしてのハードディスクを駆動するハードディスクドライブ部１８を有する。制御部３０は、全体の動作を司るべく各部に接続されており、例えば、ディスクドライブ部１９及びハードディスクドライブ部１８に記録データを供給することができ、又、再生された信号を受け取ることができる。制御部３０は、記録、又は、再生単位のデータを取り扱うもので、バッファ回路、エラー訂正部等を含む。
【００１５】
又、図１の記録再生装置１０は、録画側を構成するエンコーダ部２１と、再生側を構成するデコーダ部２２と、装置本体の動作を制御する制御部３０とを主たる構成要素としている。記録再生装置１０は、入力側のセレクタ１６と出力側のセレクタ１７とを有しており、入力側のセレクタ１６には、ネットワークＩ／Ｆ部１１と、チューナ部１２と、入力部１３とが接続され、エンコーダ部２１、又は、メモリ部４１に信号を出力する。又、記録再生装置１０は、エンコーダ部２１に接続されるフォーマッタ部２３と、エンコーダ部２１の出力を受けるデータ処理部２０、データ処理部２０に接続されるハードディスクドライバ部１８、光ディスクドライバ部１９を有している。更に、記録再生装置１０は、ハードディスクドライバ部１８、光ディスクドライバ部１９からの信号を受けてデコードするデコーダ部２２と、エンコーダ部２１、デコーダ部２２、制御部３０、表示部３１からの操作信号を受けるビデオミキシング部２４とを有している。更に、セレクタ部１７の出力は、外部のスピーカ部２５と、ディスプレイ部２６とに接続されるか、外部装置との通信を行うインタフェース部２７を介して、外部装置に供給される。更に、記録再生装置１０は、制御部３０に接続されユーザの操作やリモコンＲの操作を受ける操作部３２を有している。
【００１６】
ここで、リモコンは、記録再生装置１０の本体に設けられる操作部３２とほぼ同等の操作を可能とするものであり、ハードディスクドライバ部１８やディスクドライバ部１９の記録再生指示や、編集指示、又、チューナの操作、予約録画の設定等、各種設定が可能である。又、更に、記録再生装置１０は、セレクタ部１６の画像信号等の出力を受けこれを格納するメモリ部４１と、予約情報を管理し、予約録画を実行する予約録画管理部４２と、予約録画や通常の録画等により蓄積された録画情報等に応じた管理情報であるライブラリ情報を作成し管理するライブラリ生成部４３とを有している。
【００１７】
（基本動作）
このような構成の記録再生装置において、初めに、光ディスクに例を取って、再生処理と記録処理の概要を説明する。光ディスクの再生処理は、以下のように行われる。すなわち、制御部３０の制御下において、ディスクモータドライバ６４で制御されるディスクモータ６３により所定速度に回転される光ディスクＤは、レーザドライバ６５で駆動されるレーザ光が照射されその反射光が光ピックアップ５１のフォトデテクタ５２により検出され、これに基づく検出信号Ｓが出力される。この検出信号Ｓがデータ処理部２０に含まれるＲＦアンプに供給され、ここから出力されたＲＦ信号がデコーダ部２２及び制御部３０に、又、データ処理部２０に含まれるＲＦアンプで生成されたサーボ用信号であるフォーカスエラー信号とトラッキングエラー信号とが、それぞれ、フォーカス制御部・トラッキング制御部６２に供給される。データ処理部２０ではＲＦ信号をデコードし、デコードされた信号がビデオミキシング部２４で合成されるか、そのままインタフェース部２７を介して外部に出力される。又、制御部３０は、ディスクモータ６３の回転をコントロールするコントロール信号を生成しディスクモータドライバ６４に供給して、ディスクモータ６３の回転を制御している。
【００１８】
更に、このような構成の記録再生装置において、光ディスクの記録処理は、以下のように行われる。すなわち、制御部３０の制御下において、例えば入力部１３、セレクタ部１６を介して供給されたデータは一時的にメモリ部４１に蓄えられた後にエンコーダ部２１に供給され、コード化されて出力される。このコード化出力と制御部３０の出力に応じて、レーザドライバ６５の駆動電流が光ピックアップ５１に供給される。光ピックアップ５１ではこの駆動電流に応じたレーザ光を搭載されたレーザダイオード５４から発光し、ディスクモータ６３により所定回転数で回転されている光ディスクＤの記憶領域に照射することで、記録処理が行われるものである。
【００１９】
（詳細な動作）
・記録処理等
次に、このような構成を有する記録再生装置１０の動作を、更に詳細に説明する。初めに、主に記録時の動作について、他の実施形態も含めて詳細に説明する。記録再生装置１０の入力側として、ネットワークＩ／Ｆ部１１は、例えば、インターネット等を介してサーバＳ等に接続しコンテンツ情報等をダウンロードしたりする。又、チューナ部１２は、アンテナを介して放送信号を選局し復調して映像信号及び音声信号を出力するもので、広範な種類に対応するもので、例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、市場はアナログ放送のチューナ部を２つ又は３つ以上を有し、予約録画の要求に応じて平行して機能させるものであることも好適である。
【００２０】
又、入力部１３は、外部から、輝度信号や色差信号、コンポジット等の映像信号、音声信号を受ける。これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００２１】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、バッファメモリを含むフォーマッタ部２３にて所定のＤＶＤ−ＲＡＭのフォーマットに変換され、先の制御部３０に供給される。
【００２２】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２３】
エンコーダ部２１に含まれるビデオエンコーダでは、デジタルビデオ信号はＭＰＥＧ２、又は、ＭＰＥＧ１規格に基づいた可変ビットレートで圧縮されたデジタルビデオ信号に変換される。デジタルオーディオ信号は、ＭＰＥＧ、又は、ＡＣ−３規格に基づいて固定ビットレートで圧縮されたデジタルオーディオ信号、又は、リニアＰＣＭのデジタルオーディオ信号に変換される。
【００２４】
副映像信号が入力部１３から入力された場合、又はこのようなデータ構成のＤＶＤビデオ信号が放送されてそれがＴＶチューナ１２で受信された場合は、ＤＶＤビデオ信号中の副映像信号が副映像エンコーダでエンコード（ランレングス符号化）されて副映像のビットマップとなる。
【００２５】
エンコードされたデジタルビデオ信号、デジタルオーディオ信号、副映像データは、フォーマッタ部２３にてパック化され、ビデオパック、オーディオパック、副映像パックとなり、更にこれらが集合されてＤＶＤ−レコーディング規格（例えば、ＤＶＤ−ＲＡＭ、ＤＶＤ−Ｒ、ＤＶＤ−ＲＷなどに記録する規格）で規定されたフォーマットに変換される。
【００２６】
ここで図１の装置は、フォーマッタ部２３でフォーマット化された情報（ビデオ、オーディオ、副映像データなどのパック）及び作成された管理情報を、制御部３０を介してハードディスクドライブ部１８又はディスクドライブ部１９に供給し、ハードディスク部１８、又は、光ディスクＤに記録することができる。又、ハードディスク部１８、又は、光ディスクＤに記録された情報を、制御部３０、ディスクドライブ部１９を介して光ディスクＤ、又は、ハードディスク部１８に記録することもできる。
【００２７】
又、上述した予約録画管理部４２及びライブラリ生成部４３によれば、リモコンＲや操作部３２から入力された予約情報、又、チューナ部１２やネットワークＩ／Ｆ部１１を介して取得したＥＰＧ（Electronic Program Guide）情報に基づいて、予約録画を行い、又、予約録画等から蓄積された録画情報に応じたライブラリ情報がライブラリ生成部４３で生成され管理される。
【００２８】
・編集処理等
次に、主に、記録された情報の編集処理について、他の実施形態も含めて詳細に説明する。ハードディスク部１８又は光ディスクＤに記録されている複数番組のビデオオブジェクトを、一部削除したり、異なる番組のオブジェクトをつなげたり、といった編集処理を行うこともできる。
【００２９】
制御部３０は、編集処理を容易とするため、ＭＰＵ（マイクロプロセッシングユニット）、又は、ＣＰＵ（セントラルプロセッシングユニット）と、制御プログラム等が書きこまれたＲＯＭと、プログラム実行に必要なワークエリアを提供するためのＲＡＭとを含んでいる。
【００３０】
制御部３０のＭＰＵは、そのＲＯＭに格納された制御プログラムに従い、ＲＡＭをワークエリアとして用いて、ハードディスクドライブ部１９における読出・書込アドレスを決定したり、欠陥場所検出、未記録領域検出、録画情報記録位置設定、ＵＤＦ記録、ＡＶアドレス設定等を行うことも好適である。
【００３１】
又、制御部３０は、更に他の実施形態として、図示しない、ディレクトリ検出部、編集時及び録画時の管理情報制御部の他に、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えるものであることも好適である。
【００３２】
編集処理の際、又は、他の処理の際に、ＭＰＵの実行結果のうち、ユーザに通知すべき内容は、記録再生装置の表示部３１に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンＲを伴うことが好適である。
【００３３】
なお、制御部３０が、ディスクドライブ部１９、ハードディスクドライブ部１８、制御部３０、エンコーダ部２１及び／又は、デコーダ部２２などを制御するタイミングは、図示しないＳＴＣ（システムタイムクロック）からの時間データに基づいて実行することができる。録画や再生の動作は、通常はＳＴＣからのタイムクロックに同期して実行されるが、それ以外の処理はＳＴＣとは独立したタイミングで実行されてもよい。
【００３４】
・再生処理等  
次に、主に記録された情報の再生処理について、他の実施形態も含めて詳細に説明する。デコーダ部２２は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３５】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００３６】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００３７】
なお、エンコーダ部２１のフォーマッタ部２３では、録画中、各切り分け情報を作成し、定期的に制御部３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３８】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報に基づいて初期設定が行われる。
【００３９】
制御部３０は、エンコーダ部２１のフォーマッタ部２３からＶＯＢＵ単位のデータを受け取り、ディスクドライブ部１９又はハードディスクドライブ部１８に供給している。又、制御部３０のＭＰＵは、記録したデータを再生するのに必要な管理情報を作成し、データ記録終了のコマンドを認識すると、作成した管理情報を制御部３０に送る。これにより、管理情報がディスクに記録される。従って、エンコードが行われているとき、制御部３０のＭＰＵは、エンコーダ部２１からデータ単位の情報（切り分け情報など）を受け取る。又、制御部３０のＭＰＵは、記録開始時には、光ディスクＤ及びハードディスク部１８から読み取った管理情報（ファイルシステム）を認識し、各ディスクの未記録エリアを認識し、データ上の記録エリアを制御部３０を介して光ディスクＤに設定している。
【００４０】
又、更に、制御部３０は、後述するように、例えば、インターネット上に設けられたコンテンツ情報のサーバＳにネットワークＩ／Ｆ部１１を介してアクセスをし、コンテンツ情報をダウンロードして、ハードディスクドライブ部１８の記憶領域に記録することができる。又、ハードディスクドライブ部１８の記憶領域に記録されたコンテンツ情報は、ユーザの操作に応じて、ハードディスクドライブ部１８から読み出されてデコーダ部２２でデコードされた上で、ビデオミキシング部２４を介して、セレクタ部１７で適宜選択され、スピーカ部２５及びディスプレイ２６又はＩ／Ｆ２７を介して外部装置に供給される。
【００４１】
この実施形態の記録再生装置１０は、このように総合的な機能を有するものであり、多くのソースに対してハードディスク部１８（又は光ディスクＤ）による記録・再生処理を行うものである。次に、ここで、この記録再生装置１０の、主にハードディスク部１８を利用した放送信号の予約録画処理と、録画後の録画情報のライブラリ表示処理とについて、以下に詳細に説明する。
【００４２】
＜予約録画処理及びライブラリ表示処理＞
図２は、本発明の一実施形態に係る記録再生装置の録画予約画面の一例を示す説明図、図３は、同じくライブラリ画面（追記モード対応）の一例を示す説明図、図４は、同じくライブラリ画面（追記モード未対応）の一例を示す説明図、図５は、同じくライブラリ画面（追記モード未対応：タイトルソート）の一例を示す説明図、図６は、同じくライブラリ画面（追記モード対応）のプレイリスト画面（チャプタポイント挿入）の一例を示す説明図、図７は、同じくライブラリ画面（追記モード対応）のプレイリスト画面（視聴済・未視聴表示）の一例を示す説明図、図８は、同じくライブラリ画面（追記モード対応）の表示処理の一例を示すフローチャート、図９は、同じくライブラリ画面（追記モード対応）の表示処理の他の一例（モード統一機能）を示すフローチャート、図１０は、同じくライブラリ画面（追記モード対応）から行う再生処理の一例を示すフローチャートである。
【００４３】
本発明の一実施形態に係る記録再生装置は、上記したように録画機能・再生機能・編集機能等を有する複合型記録再生装置であるが、以下のような手順で、予約録画処理が行われ、更に、予約録画等による録画情報に応じたライブラリ情報が生成され活用されるものである。
【００４４】
・予約録画処理
予約録画処理は、操作部３２又はリモコンＲを介してユーザから与えられる入力情報による録画予約情報、又は、チューナ部１２やネットワークＩ／Ｆ部１１を介して取得したＥＰＧ（Electronic Program Guide）情報に基づいて行われるものである。操作部３２又はリモコンＲを介する場合は、録画する月日（又は毎週金曜、毎週月〜金等の曜日）と、放送チャンネルと、開始時刻・終了時刻と、『長時間・高画質・標準』等の画質と、『通常モード、上書きモード、追記モード等』の録画モード等のパラメータを打ち込むこととなる。更に、タイトルやその他の付加情報をユーザに打ち込むことも好適である。
【００４５】
又、チューナ部１２やネットワークＩ／Ｆ部１１を介して取得したＥＰＧにより、放送番組表をテレビ画面等に表示して、カーソル等で指定することにより、録画予約を行うことも可能である。この際には、タイトル等の付加情報を予約録画管理部４２の記憶領域内に容易に取り込むことも可能となる。ここでは、チューナ部１２に含まれるアナログ地上波チューナを経由して取得したＥＰＧ情報に基づいて作成した録画予約画面を図２に示している。ここでは、本発明の一実施形態である『追記モード』（連続モード）が、タイトル『白い虚塔』と、タイトル『ブランド』の録画予約に設定されている。
【００４６】
この『追記モード』（連続モード）は、例えば、連続ドラマ等の予約録画に使用され、後述するライブラリ作成の際に複数の録画情報につき、一単位の管理情報として表示させる録画モードである。すなわち、この録画モードは、例えば、毎週木曜日、８チャンネル、夜１０：００〜１１：００というように、反復して録画される録画予約に用いられるものである。
【００４７】
このような録画予約情報に応じて、制御部３０と予約録画管理時部４２との制御下の基、例えば、チューナ部１２が所望の放送信号を選局し再生して、ハードディスクドライバ部１８等の所定の記憶領域に反復的に録画されるものである。
【００４８】
・ライブラリ表示処理
次に、このように予約録画（マニュアル録画を含めるも可能）された録画情報につき、ユーザの操作部３２等からの指示に応じて、制御部３０及びライブラリ生成部４３の働きにより、図８に示すようにライブラリ表示処理が行われる。すなわち、ユーザからの操作部３２等を介するライブラリ画面の表示指示があると（Ｓ１１）、制御部３０の制御下において、ライブラリ生成部４３は、予約録画管理部４２の記憶領域、又は、ハードディスクドライバ部１８を検索することで、現在のハードディスクドライバ部１８等の記憶領域に記憶されている録画情報の管理情報を収集する（Ｓ１２）。そして、全ての録画情報の管理情報について、逐一、管理情報は追記モードであるかどうかを判断する（Ｓ１３）。ここで、管理情報は追記モードにより録画された録画情報でなければ、全ての複数の管理情報を例えば時系列順に配列して（Ｓ１７）、例えば、図３に示すようなライブラリ画面表示に対応する画像情報を生成し、例えば、ビデオミキシング部２４に供給する（Ｓ１８）。
【００４９】
一方、管理情報が録画情報が追記モードで録画されたことを示している時（Ｓ１３）、（同一タイトル又は）同日時チャンネルの管理情報を、同一情報とみなした上で、連続する録画情報にチャプタポイントを設定する（Ｓ１５）。そして、同一情報とみなした管理情報を時系列順に配列し直す（Ｓ１６）。なお、これらの処理は、予約録画が予約情報に応じて開始し終了した時点で行っても良いし、ユーザがライブラリ画面表示を指示した時点で行ってもよい。全ての管理情報についてこれらの処理が終えたら（Ｓ１７）、ライブラリ生成部４３は、例えば、図３に示すようなライブラリ画面をディスプレイ２６等で表示するべく画像情報を生成して、例えば、ビデオミキシング部２４にこれを供給する。
【００５０】
ここで、図３に示す『追記モード』（連続モード）に対応したライブラリ画面についての述べると、チャンネルと、視聴済・未視聴と、日付と、開始・終了時刻と、タイトルと画質に加えて、録画数が示されている。更に、これは、例えば、タイトル『ブランド』やタイトル『白い虚塔』につき、『追記モード』（連続モード）が設定されているため、ここでは、３つの記録画像又は１４の記録画像があるにもかかわらず、一単位の管理情報が表示されているに過ぎない。ここで、『録画数』とは、タイトル『ブランド』やタイトル『白い虚塔』につき、一単位表示されてはいるが、３つの記録画像又は１４の記録画像を有していることを示しているものである。
【００５１】
このような『追記モード』（連続モード）に対応したライブラリ画面とすることで、ライブラリ画面は劇的に短く簡潔になり、ユーザにとっても最良の表示形式であることがわかる。
【００５２】
又、この図３のライブラリ画面においての視聴済・未視聴の表示方法の一例として、一単位の管理情報に対応する記録情報の全てが視聴済であれば、未視聴のマークは表示されず、一単位の管理情報に対応する記録情報の一部でも未視聴の画像情報を含んでいる時は、図３に示すように、未視聴のマークを表示することが好適であるが、他の表現方法であってもかまわない。
【００５３】
・追記モードによるライブラリ画面表示の効果
この『追記モード』（連続モード）に対応したライブラリ画面の効果は、次のような表示と比較することで、その作用効果を理解できる。すなわち、図４は、追記モードに対応しないライブラリ画面につき、録画情報の管理情報を単に時系列に示している。ここでは、複数の番組の管理情報が雑然と示されており、冗長であって、全体を把握しづらいライブラリ画面となっている。ここで、長さは、図３の２倍以上となっている。
【００５４】
次に、図５で示すように、タイトル名でライブラリ画面をソートして表示した場合を考える。この場合は、多少見易くはなるが、図４の場合と比べても総タイトル数に変化はないため短縮効果は望めなく、このために、ディスプレイ２６の一画面では表示しきれないという場合が考えられる。
【００５５】
又、「未視聴のドラマがどれか？」等のチェックを行いたい場合、依然として見づらい。更に、実装面から考えると、表示できる総タイトル数には制限があるため、同じタイトルで無駄にタイトルインデックスを占有することは、表示上の無駄となる。
【００５６】
又、ユーザによるマニュアルの編集処理として、プレイリストの編集等を行うことにより、上記した追記モードと同様に、同一タイトルの録画データを一つのデータに纏めることも可能であるが、一般的なユーザ、すなわち、ビデオレコーダをドラマなどの放送チェックにしか利用しないライトユーザにとって、プレイリスト編集すらも煩わしい操作となるため、本発明の一実施形態である『追記モード（連続モード）によるライブラリ表示』は、冗長で煩雑なライブラリ画面を、利用価値の高い簡潔で理想的な管理画面を自動的に提供してくれるという意味で、ユーザメリットは大きいと考えられる。
【００５７】
すなわち、例えば、１０回前後の連続ドラマ等を一週間で７〜８タイトル、予約録画して放置していた冗長なライブラリ画面を、上記の追記モードで表示し直した場合は、画面の長さは実に約１／１０程度の長さに短縮されることとなり、本発明の一実施形態である追記モードによるライブラリ画面表示の効果がいかに大きいものかがわかる。
【００５８】
・モード統一処理
次に、例えば、連続ドラマ等の反復する番組の予約録画を行う場合に、最初に、『通常モード』として例えば４回録画し、その後、『追記モード』として３回録画した場合の、録画情報の管理情報のライブラリ表示をどうするかについて考える。図８のフローチャートの場合は、初めの４回分は４行による表示、後の３回分は追記モードとして１単位すなわち１行による表示によるライブラリ表示がなされる。
【００５９】
ここで、図９に示す処理においては、追記モードへ変更された時点で過去に遡って、通常モードの録画情報の管理情報を、追記モードで録画した場合の管理情報に変更して、１単位すなわち１行による表示とするものである。
【００６０】
すなわち、図９に示すようにライブラリ表示処理が行われ、ユーザからの操作部３２等を介するライブラリ画面の表示指示があると（Ｓ１１）、制御部３０の制御下において、ライブラリ生成部４３は、予約録画管理部４２の記憶領域、又は、ハードディスクドライバ部１８を検索することで、現在のハードディスクドライバ部１８等の記憶領域に記憶されている録画情報の管理情報を収集する（Ｓ１２）。
【００６１】
そして、ここで、（同一タイトル）又は同日時（毎曜日等）の管理情報につき、録画モードの不統一があれば（Ｓ２１）、（同一タイトル）又は同日時（毎曜日等）の管理情報について、過去に遡って、現在の録画モードすなわち追記モードに変更して統一する（Ｓ２２）。その上で、全ての録画情報の管理情報について、逐一、管理情報は追記モードであるかどうかを判断する（Ｓ１３）。ここで、管理情報は追記モードにより録画された録画情報でなければ、全ての複数の管理情報を例えば時系列順に配列して（Ｓ１７）、例えば、図３に示すようなライブラリ画面表示に対応する画像情報を生成し、例えば、ビデオミキシング部２４に供給する（Ｓ１８）。
【００６２】
一方、管理情報が録画情報が追記モードで録画されたことを示している時（Ｓ１３）、（同一タイトル又は）同日時チャンネルの管理情報を、同一情報とみなした上で、連続する録画情報にチャプタポイントを設定する（Ｓ１５）。そして、同一情報とみなした管理情報を時系列順に配列し直す（Ｓ１６）。なお、これらの処理は、予約録画が予約情報に応じて開始し終了した時点で行っても良いし、ユーザがライブラリ画面表示を指示した時点で行ってもよい。全ての管理情報についてこれらの処理が終えたら（Ｓ１７）、ライブラリ生成部４３は、例えば、図３に示すようなライブラリ画面をディスプレイ２６等で表示するべく画像情報を生成して、例えば、ビデオミキシング部２４にこれを供給する。
【００６３】
・再生処理
次に、このようなライブラリ表示における追記モード（連続モード）の録画情報の再生処理について、図６又は図７及び図１０のフローチャートを用いて説明する。上記した追記モード（連続モード）の際には、反復して録画される録画情報は、一つの連続する録画情報として管理情報上では扱われることとなり、図６に示すように、タイトル『白い虚塔』の録画情報はチャプタポイントを与えられる連続する録画情報として、予約録画管理部４２又はライブラリ生成部４３において記憶しなおされる。つまり、ここでは、既にある録画情報に新規に録画された録画情報が追記される際に、少なくとも、新たなチャプタポイントと、トータルの記録時間と、アドレスと、視聴済・未視聴との情報を、管理情報に付加されることにより、追記処理がなされたとみなされる。
【００６４】
更に、図３のライブラリ画面がディスプレイ２６等に表示されている状態で、ユーザの操作により、追記モード（連続モード）の管理情報が選択されることで、図７の（２）に示されるように視聴済データと未視聴データとが識別可能に表示されるものである。
【００６５】
ここで、図１０のフローチャートを用いて、ライブラリ表示における追記モード（連続モード）の録画情報の再生処理を説明すると、ライブラリ画面が表示されている状態で（Ｓ３１）、ユーザから追記モードの管理情報に対して、例えば、カーソルによる領域指定、又は、エンターキー等によるダブルクリック操作等により再生指示がなされると（Ｓ３２）、記録情報の視聴・未視聴に応じて、未視聴の先頭から記録情報を再生する（Ｓ３４）。いわゆるレジュームポイントが未視聴チャプタの開始地点にあるという動作となる。
【００６６】
又、この再生の途中で、ユーザからリモコンＲや操作部３２を介してスキップ操作を受けると、図６に示すチャプタポイントに応じて、スキップ操作が指定するチャプタポイントにジャンプし（Ｓ３６）、ジャンプしたチャプタポイントから記録情報を再生する（Ｓ３７）。又、ステップＳ３２で追記モードの管理情報でなければ、通常の再生のように、再生が指定された管理情報に応じたアドレスから、記録情報を再生すればよい（Ｓ３３）。
【００６７】
以上、詳細に説明したように、本発明の一実施形態に係る記録再生装置によれば、追記モード（連続モード）を新たに設定して毎週木曜１０時等の反復的予約録画を行い、ライブラリ表示の際は、例えば１０回分の録画情報も一単位で表示することで、ライブラリ表示を非常に圧縮し簡潔に表示することが可能となる。これは、今後のハードディスクの低価格化・大容量化の結果、例えば、毎週７〜８本の連続ドラマや定期的な番組等を常に予約録画した状態で使用することにより、ハードディスク内に数１０個乃至１００個単位で録画情報が氾濫していくという使用環境を想定すると、上記した追記モード（連続モード）による簡潔化されたライブラリ表示は、必要不可欠となっていくものと考えられる。すなわち、こういう環境では、ハードディスク内の大量な記録情報をできるだけ一画面又は数画面でライブラリ表示することが望まれ、ここで、例えば、約１０回分の録画情報をもつ追記モード（連続モード）の管理情報は、約１／１０に圧縮されてライブラリ画面に表示されることになるため、非常に圧縮表示効果を期待することができる。
【００６８】
以上記載した実施形態においては、光ディスクのディスクドライバ部等を含む複合機としての記録再生装置において、本発明の一実施形態を説明したが、これに限らず、例えば、ハードディスクドライバ部だけを扱う記録再生装置においても、同等の処理が可能であることは言うまでもない。
【００６９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００７０】
以下に、本発明の記録再生装置及び記録再生方法ついてまとめる。
【００７１】
（１）記録再生装置は、
放送信号を選局し復号して映像情報を出力するチューナ部と、
前記チューナ部の前記映像情報を記録領域に記録する記録部と、
与えられる曜日情報と、時刻情報と、選局情報と、これらの情報につき反復的に予約録画を行い録画情報を一連の情報として扱う連続モード情報とを記憶し、これらの情報に基づき前記チューナ部と記録部を制御して予約録画を行う予約録画管理部と、
前記連続モード情報により録画した録画情報の管理情報をライブラリ情報として表示する際に、複数回の録画情報の管理情報でも一単位の管理情報として画像表示するべく表示情報を生成するライブラリ生成部とを具備する。
【００７２】
（２）さらに、（１）に記載の記録再生装置の前記予約録画管理部は、入力される予約情報に応じて、通常の録画モードである通常モード情報と、前記連続モード情報とに基づく予約録画をそれぞれ平行して行い、
前記ライブラリ生成部は、ライブラリ画面の表示指示に応じて、前記通常モード情報により録画した一つの録画情報の管理情報を一単位の管理情報とし、前記連続モード情報により録画した録画情報が複数回の録画情報の管理情報でも一単位の管理情報として、同一の画面において画像表示するべく表示情報を生成する。
【００７３】
（３）さらに、（１）に記載の記録再生装置の前記ライブラリ生成部は、ライブラリ画面の表示指示に応じて、前記連続モード情報により複数回録画した録画情報の管理情報でも一単位の管理情報として画像表示すると共に、前記録画情報の録画回数を併せて画像表示するべく表示情報を生成する。
【００７４】
（４）さらに、（１）に記載の記録再生装置は、前記連続モード情報により録画した録画情報の管理情報をライブラリ情報として表示する際に、前記録画情報が視聴済であるか未視聴であるかを併せて画像表示するべく表示情報を生成する。
【００７５】
（５）さらに、（１）に記載の記録再生装置の前記ライブラリ生成部は、前記予約録画管理部が同一の予約情報に基づいて反復的に予約録画を行う際に、途中から予約モード情報が通常モード情報から前記連続モード情報に変更された際は、録画済の録画情報の管理情報を、過去に遡って前記通常モード情報から前記連続モード情報に変更して統一し、これにより、同一の予約情報に基づいて反復的に予約録画された複数の録画情報の管理情報を一単位の管理情報として画像表示するべく表示情報を生成する。
【００７６】
（６）さらに、（１）に記載の記録再生装置の前記ライブラリ生成部は、前記連続モード情報により録画した複数の録画情報を、連続する一連の録画情報として管理し、この一連の録画情報に録画毎にチャプタポイントが設定されるべく前記管理情報を編集する。
【００７７】
（７）さらに、（１）に記載の記録再生装置は、前記ライブラリ生成部が生成した録画情報のライブラリ情報の表示画面において、前記連続モードの管理情報がユーザの操作により指定されると、前記連続モードによる複数の録画情報のそれぞれが選択可能に表示されるべく、表示情報を生成する。
【００７８】
（８）さらに、（１）に記載の記録再生装置は、前記ライブラリ生成部が生成した録画情報のライブラリ情報の表示画面において、前記連続モードの管理情報がユーザの操作により指定されると、前記連続モードによる複数の録画情報のそれぞれが視聴・未視聴がわかる形で選択可能に表示されるべく、表示情報を生成する。
【００７９】
（９）さらに、（１）に記載の記録再生装置は、前記ライブラリ生成部が生成した録画情報のライブラリ情報の表示画面において、前記連続モードの管理情報がユーザの操作により指定され再生指示を受けると、前記連続モードによる複数の録画情報の内、未視聴であって一番早く記録された記録情報から再生して再生信号を出力する再生部を更に有する。
【００８０】
（１０）さらに、（９）に記載の記録再生装置の前記再生部は、前記連続モードによる録画情報の再生を行っている時、ユーザからスキップ処理の指示を受けると、前記一単位の管理情報として扱われる複数回の録画情報の各先頭位置をチャプタポイントとして再生位置をスキップした後に再生を行う。
【００８１】
（１１）記録再生方法は、放送信号を選局し復号して映像情報を出力するチューナ部と、前記チューナ部の前記映像情報を記録領域に記録する記録部とを用いて、
与えられる曜日情報と、時刻情報と、選局情報と、これらの情報につき反復的に予約録画を行い録画情報を一連の情報として扱う連続モード情報とを記憶し、これらの情報に基づき前記チューナ部と記録部を制御して予約録画を行い、
前記連続モード情報により録画した録画情報の管理情報をライブラリ情報として表示する際に、複数回の録画情報の管理情報でも一単位の管理情報として画像表示するべく表示情報を生成する。
【００８２】
（１２）さらに、（１１）に記載の記録再生方法は、前記予約録画管理においては、入力される予約情報に応じて、通常の録画モードである通常モード情報と、前記連続モード情報とに基づく予約録画をそれぞれ平行して行い、
前記ライブラリ生成においては、ライブラリ画面の表示指示に応じて、前記通常モード情報により録画した一つの録画情報の管理情報を一単位の管理情報とし、前記連続モード情報により録画した録画情報が複数回の録画情報の管理情報でも一単位の管理情報として、同一の画面において画像表示するべく表示情報を生成する。
【００８３】
（１３）さらに、（１１）に記載の記録再生方法は、前記ライブラリ画面の表示指示に応じて、前記連続モード情報により複数回録画した録画情報の管理情報でも一単位の管理情報として画像表示すると共に、前記録画情報の録画回数を併せて画像表示するべく表示情報を生成する。
【００８４】
（１４）さらに、（１１）に記載の記録再生方法は、前記連続モード情報により録画した録画情報の管理情報をライブラリ情報として表示する際に、前記録画情報が視聴済であるか未視聴であるかを併せて画像表示するべく表示情報を生成する。
【００８５】
（１５）さらに、（１１）に記載の記録再生方法は、同一の予約情報に基づいて反復的に予約録画を行う際に、途中から予約モード情報が通常モード情報から前記連続モード情報に変更された際は、録画済の録画情報の管理情報を、過去に遡って前記通常モード情報から前記連続モード情報に変更して統一し、これにより、同一の予約情報に基づいて反復的に予約録画された複数の録画情報の管理情報を一単位の管理情報として画像表示するべく表示情報を生成する。
【００８６】
（１６）さらに、（１１）に記載の記録再生方法は、前記連続モード情報により録画した複数の録画情報を、連続する一連の録画情報として管理し、この一連の録画情報に録画毎にチャプタポイントが設定されるべく前記管理情報を編集する。
【００８７】
（１７）さらに、（１１）に記載の記録再生方法は、前記録画情報のライブラリ情報の表示画面において、前記連続モードの管理情報がユーザの操作により指定されると、前記連続モードによる複数の録画情報のそれぞれが選択可能に表示されるべく、表示情報を生成する。
【００８８】
（１８）さらに、（１１）に記載の記録再生方法は、前記録画情報のライブラリ情報の表示画面において、前記連続モードの管理情報がユーザの操作により指定されると、前記連続モードによる複数の録画情報のそれぞれが視聴・未視聴がわかる形で選択可能に表示されるべく、表示情報を生成する。
【００８９】
（１９）さらに、（１１）に記載の記録再生方法は、前記録画情報のライブラリ情報の表示画面において、前記連続モードの管理情報がユーザの操作により指定され再生指示を受けると、前記連続モードによる複数の録画情報の内、未視聴であって一番早く記録された記録情報から再生して再生信号を出力する。
【００９０】
（２０）さらに、（１９）に記載の記録再生方法は、前記連続モードによる録画情報の再生を行っている時、ユーザからスキップ処理の指示を受けると、前記一単位の管理情報として扱われる複数回の録画情報の各先頭位置をチャプタポイントとして再生位置をスキップした後に再生を行う。
【図面の簡単な説明】
【００９１】
【図１】本発明の一実施形態に係る記録再生装置の構成の一例を示すブロック図。
【図２】本発明の一実施形態に係る記録再生装置の録画予約画面の一例を示す説明図。
【図３】本発明の一実施形態に係る記録再生装置のライブラリ画面（追記モード対応）の一例を示す説明図。
【図４】本発明の一実施形態に係る記録再生装置のライブラリ画面（追記モード未対応）の一例を示す説明図。
【図５】本発明の一実施形態に係る記録再生装置のライブラリ画面（追記モード未対応：タイトルソート）の一例を示す説明図。
【図６】本発明の一実施形態に係る記録再生装置のライブラリ画面（追記モード対応）のプレイリスト画面（チャプタポイント挿入）の一例を示す説明図。
【図７】本発明の一実施形態に係る記録再生装置のライブラリ画面（追記モード対応）のプレイリスト画面（視聴済・未視聴表示）の一例を示す説明図。
【図８】本発明の一実施形態に係る記録再生装置のライブラリ画面（追記モード対応）の表示処理の一例を示すフローチャート。
【図９】本発明の一実施形態に係る記録再生装置のライブラリ画面（追記モード対応）の表示処理の他の一例（モード統一機能）を示すフローチャート。
【図１０】本発明の一実施形態に係る記録再生装置のライブラリ画面（追記モード対応）から行う再生処理の一例を示すフローチャート。
【符号の説明】
【００９２】
１１…ネットワークＩ／Ｆ部、１２…チューナ部、１３…入力部、１８…ハードディスクドライバ部、１９…ディスクドライブ部、２０…データ処理部、２１…エンコーダ部、２２…デコーダ部、２３…フォーマッタ部、２４…ビデオミキシング部、２６…ディスプレイ、２７…Ｉ／Ｆ部、３０…制御部、３１…表示部、３２…操作部、Ｒ…リモコン、４１…メモリ部、４２…追記モードを含む録画予約管理部。
【図１】
2008219945.tif 000003
【図２】
2008219945.tif 000004
【図３】
2008219945.tif 000005
【図４】
2008219945.tif 000006
【図５】
2008219945.tif 000007
【図６】
2008219945.tif 000008
【図７】
2008219945.tif 000009
【図８】
2008219945.tif 000010
【図９】
2008219945.tif 000011
【図１０】
2008219945.tif 000012